(57)【特許請求の範囲】
【請求項１】
時間を計時する時計手段と、光学像を画像信号に変換する撮像手段と、前記時計手段の計時機能に基づく時刻の表示及び前記画像信号に基づく画像の表示を選択的に表示することができる表示手段と、から構成されるカメラ本体と、
腕に装着可能な形態を有するバンド部と、
前記バンド部に前記カメラ本体を着脱自在に固定させる固定手段と、を備え、
前記固定手段は、前記カメラ本体を固定する時に該カメラ本体の撮影レンズが前記バンド部のバンド面側に向けられ、前記撮影レンズの前方を前記バンド部によって包囲しつつ、前記表示手段の表示画面を露出させる状態で前記カメラ本体を保持することを特徴とする腕装着型カメラ。
【請求項２】
前記カメラ本体が前記バンド部に固定されているか否かを検出する検出手段と、
前記検出手段によってカメラ本体の固定状態が検出された場合に前記撮像手段への電源供給をＯＦＦ制御する一方、前記検出手段によってカメラ本体の離脱状態が検出された場合に前記撮像手段への電源供給をＯＮ制御する制御手段と、
を備えたことを特徴とする請求項１に記載の腕装着型カメラ。
【請求項３】
時間を計時する時計手段と、光学像を画像信号に変換する撮像手段と、前記時計手段の計時機能に基づく時刻の表示及び前記画像信号に基づく画像の表示を選択的に表示することができる表示手段と、から構成されるカメラ本体と、
腕に装着可能な形態を有するバンド部と、
前記バンド部に前記カメラ本体を着脱自在に固定させる固定手段と、
前記カメラ本体が前記バンド部に固定されているか否かを検出する検出手段と、
前記検出手段によってカメラ本体の固定状態が検出された場合に前記表示手段に時刻を表示させ、カメラ本体の離脱状態が検出された場合には前記表示手段に前記画像信号に基づく画像を表示させる制御手段と、
からなることを特徴とする腕装着型カメラ。
【請求項４】
前記撮像手段を介して取得した画像データを記録媒体に記録する画像記録手段と、
前記記録媒体に格納されている画像データを再生して前記表示手段の画面に表示させる画像再生モードに設定するための画像再生スイッチと、
前記カメラ本体が前記バンド部に固定されているか否かを検出する検出手段と、
前記検出手段によってカメラ本体の固定状態が検出され、かつ前記画像再生スイッチにより前記画像再生モードに設定されている場合に、前記記録媒体に格納されている画像データを再生して前記表示手段に表示させる一方、前記検出手段によってカメラ本体の固定状態が検出され、かつ前記画像再生スイッチにより前記画像再生モードに設定されていない場合に、前記表示手段に時刻を表示させる制御手段と、
を備えたことを特徴とする請求項１に記載の腕装着型カメラ。
【発明の詳細な説明】
【０００１】
【発明の属する技術分野】
本発明はカメラに係り、特に、静止画記録用か動画記録用かを問わず、腕時計のように利用者の腕に装着可能な形態を有する腕装着型カメラ及び時計機能付きのカメラに関する。
【０００２】
【従来の技術】
カメラの分野では小型化は重要な開発課題の一つであり、特開平５−２０９９７３号公報、特開平８−２７８３８２号公報、特開平１０−１０８１５２号公報などにおいて腕時計型のカメラが提案されている。
【０００３】
【発明が解決しようとする課題】
しかしながら、従来提案されている腕時計型カメラは、撮影時においてもカメラ部は腕時計と一体であるためユーザは、腕時計の時刻表示を見るときのように肘を曲げて、時計を装着している腕を体の前方に構える必要がある。撮影時には画角（構図）を決定するのに時間がかかるために、その姿勢をある程度長時間一定に維持しておく必要があり、撮影者の体に負担がかかる。また、従来の腕時計型カメラは撮影レンズの位置（光軸方向）が固定されているため、撮影者の意図どおりに画角を合わせるためには、腕を不自然な方向に動かさなくてはならない場合も生じ、無理な体勢を強いられるという問題がある。
【０００４】
本発明はこのような事情に鑑みてなされたもので、画角合わせを容易にし、撮影者に身体的な負担を与えることのない腕装着型カメラを提供することを目的とする。更に、時計機能を有するカメラにおいて、使いやすさの向上と一層の小型化、低コスト化の実現を目的とする。
【０００５】
【課題を解決するための手段】
前記目的を達成するために請求項１に記載の発明に係る腕装着型カメラは、時間を計時する時計手段と、光学像を画像信号に変換する撮像手段と、前記時計手段の計時機能に基づく時刻の表示及び前記画像信号に基づく画像の表示を選択的に表示することができる表示手段と、から構成されるカメラ本体と、腕に装着可能な形態を有するバンド部と、前記バンド部に前記カメラ本体を着脱自在に固定させる固定手段と、を備え、前記固定手段は、前記カメラ本体を固定する時に該カメラ本体の撮影レンズが前記バンド部のバンド面側に向けられ、前記撮影レンズの前方を前記バンド部によって包囲しつつ、前記表示手段の表示画面を露出させる状態で前記カメラ本体を保持することを特徴としている。
【０００６】
本発明に係る腕装着型カメラは、バンド部を有し、腕時計の如く撮影者の腕に装着することができる。カメラ本体は固定手段を介してバンド部に対して取り付け、取り外しが可能であり、撮影を行う時にはカメラ本体をバンド部から外し、カメラを構えて通常のカメラのように撮影レンズを所望の被写体に向ける。このため、不自然な体勢での撮影を強いられることがない。
また、本発明によれば、カメラ本体をバンド部に固定する際、撮影レンズをバンド面側に向けてカメラ本体を伏せた状態で固定する構造にしたので、バンド部がレンズカバーの役割を果たし、ゴミやホコリから撮影レンズ等の光学部品を保護することができる。なお、画像記録手段としては、光学像を画像信号に変換した画像データを電磁的手法等により機械を用いて読み出し可能な記録媒体に記録するものであってもよいし、写真フィルムなどの感光材料に光学的に記録するものであってもよい。
さらに、本発明によれば、画像表示装置と時計表示装置とを同一の部材によって兼用し、モードに応じて表示を切り替えるようにしたので、ユーザにとって分かりやすいインターフェースを実現できるとともに、部品点数の削減が可能である。
【０００７】
特に、請求項２に記載の如く、前記カメラ本体が前記バンド部に固定されているか否かを検出する検出手段と、前記検出手段によってカメラ本体の固定状態が検出された場合に前記撮像手段への電源供給をＯＦＦ制御する一方、前記検出手段によってカメラ本体の離脱状態が検出された場合に前記撮像手段への電源供給をＯＮ制御する制御手段と、を付加する態様が可能である。かかる態様によれば、バンド部からカメラ本体が分離されたことを自動的に識別して、カメラの電源をＯＮ／ＯＦＦ制御するので、ユーザの操作負担が軽減され、使用感を向上させることができるとともに、電源の消し忘れを防止して消費電力の低減を達成できる。
【０００８】
請求項３に記載の発明は時計機能を併有する腕装着型のカメラであって、時間を計時する時計手段と、光学像を画像信号に変換する撮像手段と、前記時計手段の計時機能に基づく時刻の表示及び前記画像信号に基づく画像の表示を選択的に表示することができる表示手段と、から構成されるカメラ本体と、腕に装着可能な形態を有するバンド部と、前記カメラ本体を前記バンド部に着脱自在に固定する固定手段と、前記カメラ本体が前記バンド部に固定されているか否かを検出する検出手段と、前記検出手段によってカメラ本体の固定状態が検出された場合に前記表示手段に時刻を表示させ、カメラ本体の離脱状態が検出された場合には前記表示手段に前記画像信号に基づく画像を表示させる制御手段と、からなることを特徴としている。
【０００９】
本発明によれば、カメラ本体がバンド部から分離されたことを検出手段で自動的に識別することによりカメラのモードに自動設定される。そして、カメラ本体をバンド部に固定すると、検出手段が固定状態を検出して自動的に時計モードに設定する。これにより、ユーザによるモード設定操作が不要となり、使用感が向上する。
【００１０】
請求項４に記載の発明は、請求項１に記載の腕装着型カメラにおいて、前記撮像手段を介して取得した画像データを記録媒体に記録する画像記録手段と、前記記録媒体に格納されている画像データを再生して前記表示手段の画面に表示させる画像再生モードに設定するための画像再生スイッチと、前記カメラ本体が前記バンド部に固定されているか否かを検出する検出手段と、前記検出手段によってカメラ本体の固定状態が検出され、かつ前記画像再生スイッチにより前記画像再生モードに設定されている場合に、前記記録媒体に格納されている画像データを再生して前記表示手段に表示させる一方、前記検出手段によってカメラ本体の固定状態が検出され、かつ前記画像再生スイッチにより前記画像再生モードに設定されていない場合に、前記表示手段に時刻を表示させる制御手段と、を備えたことを特徴としている。
【００１３】
【発明の実施の形態】
以下添付図面に従って本発明に係る腕装着型カメラの好ましい実施の形態について説明する。
図１は本発明の実施の形態に係る電子カメラの外観図である。同図（ａ）に示すように、電子カメラ１０は時計機能及びカメラ機能を兼備するカメラ本体１２とバンド部１４とから構成され、腕時計のように撮影者（ユーザ）の腕に装着可能な形態を有している。バンド部１４にはカメラ本体１２を固定するための固定装置１６が設けられている。固定装置１６の構成は後述するが、この固定装置１６はカメラ本体１２を係合／離脱自在に保持する構造を有し、固定時にはカメラ本体１２をバンド部１４に安定して固定させるとともに、ユーザがカメラ本体１２の取り外しを意図して離脱動作を起こした際には容易にその係合が解除されるようになっている。
【００１４】
図１（ｂ）はカメラ本体１２をバンド部１４から分離させた状態におけるカメラ本体１２の正面外観図、同図（ｃ）は背面側外観図である。カメラ本体１２の正面には撮影レンズ１８、ストロボ発光部２０及び脱着検出スイッチ（検出手段に相当）２２が設けられ、上面にレリーズスイッチ（撮影開始指示スイッチ）２４が配置されている。
【００１５】
脱着検出スイッチ２２はカメラ本体１２がバンド部１４に固定されているか否かを検出するためのスイッチであり、カメラ本体１２が固定装置１６によって固定されているときは該スイッチ２２から固定状態を示す信号が出力され、カメラ本体１２が固定装置１６から取り外されている時は離脱状態を示す信号が出力される。もちろん、ここにいう「信号」にはいわゆる無信号も含む。脱着検出スイッチ２２の配置位置はカメラ前面に限らず、側面、底面、背面など固定装置１６による係合／離脱の状態を確認できる位置であればどこに設けてもよい。
【００１６】
また、カメラ本体１２の背面には時刻や画像を表示する表示装置２６が設けられており、図１（ａ）のようにカメラ本体１２がバンド部１４に固定されている時は表示装置２６に時刻の表示が行われる。その一方、同図（ｃ）のようにカメラ本体１２がバンド部１４から取り外された時には当該カメラが捉えた映像（ムービ画）等が表示装置２６に表示される。
【００１７】
このように、カメラ本体１２をバンド部１４から離脱させることにより通常のカメラとして使用することができ、カメラ本体１２をバンド部１４に固定することにより腕時計として使用することができる。すなわち、腕時計として代用しながらカメラを携帯することができる。
特に、撮影レンズ１８、ストロボ発光部２０など、光学部品がカメラ本体１２の正面側に配置されていることを考慮して、携帯時には撮影レンズ１８をバンド部１４のバンド面側に向け、背面の表示装置２６を露出させる状態でカメラ本体１２をバンド部１４に固定させる構造になっている。
【００１８】
これにより、表示装置２６を時刻表示手段として流用できるとともに、撮影レンズ１８の前面が固定装置１６及びバンド部１４によって覆われ、固定装置１６及びバンド部１４が、いわばレンズカバーの役割を果してカメラの光学部品をゴミやホコリから保護することができる。
図２には固定装置の一例が示されている。固定装置１６はバンド部１４に一体的に形成されている取付台２８と、カメラ本体１２の左右側面を包囲するように取付台２８から延出形成されてなる側板部２９と、側板部２９の内側に設けられている係合押圧部材３０と、から構成されている。係合押圧部材３０はクリックボールの如き形態を有し、バネ等の弾性部材３２を介して側板部２９に支持されている。弾性部材３２が伸縮変形することにより前記係合押圧部材３０は図２の左右方向に進退自在である。
【００１９】
その一方、カメラ本体１２の側面には、前記係合押圧部材３０が係合可能な形状を有する凹部３４が形成されている。カメラ本体１２を図２の上方から側板部２９に沿って落とし込むことにより、係合押圧部材３０が前記凹部３４に嵌合する。このとき、弾性部材３２には伸縮し、カメラ本体１２は弾性部材３２の反発力（復元力）によって左右両方向から押さえつけられて固定される。
【００２０】
カメラを使用する時には、カメラ本体１２を掴んで図２の上方に勢い良く引き抜くことにより、係合押圧部材３０と凹部３４との係合がはずれ、カメラ本体１２を固定装置１６から取り外すことができる。
なお、図２の例では係合押圧部材３０は略球形状を有しているが、係合押圧部材３０はカメラ本体１２との摺動摩擦を和らげると共に、弾性部材３２の力をカメラ側面に伝える役割を果たせばよく、半球形、円錐形、台形など、様々な形状が可能である。
【００２１】
図３には固定装置の他の構造例が示されている。同図に示す固定装置１６は、バンド部１４のバンド面に取付台３８が固着され、側板部３９に爪４０が形成されている。その一方、カメラ本体１２には前記爪４０の係合部に相当する平坦部４２が形成されている。
側板部３９は合成樹脂など適当な強度と弾性とを有した材料を用いて形成されており、収納時にカメラ本体１２を図３の上方から側板部３９に沿って落とし込むと、その力によって側板部３９が外側に開きカメラ本体１２の装着が可能となる。そして、爪４０がカメラ本体１２の平坦部４２に係合することでカメラ本体１２が安定的に保持される。
【００２２】
また、図３のようにカメラ本体１２が固定されている状態においてカメラ本体１２を同図上で上方向へ勢いよく引き上げると、爪４０が平坦部４２から退避する方向に側板部３９が開き、爪４０による係合が外れてカメラ本体１２を取り外すことができる。なお、カメラ本体１２において、前記固定装置１６の係合押圧部材３０、又は爪４０が係合される部位に脱着検出スイッチを配置する形態も可能である。
【００２３】
固定装置の構造は、図２及び図３に示した例に限定されるものではなく、多様な形態が可能である。例えば、レバー部材やバネ等の付勢手段などの機械的要素を適宜組み合わせてなる機械的手段によってカメラ本体１２の保持と開放を行う構造を採用してもよい。
図４は上記した電子カメラ１０のブロック図である。電子カメラ１０は、光学ユニット５２、ＣＣＤ等の固体撮像素子５４、撮像回路５６、メモリ５８、外部記録装置６０、画像処理制御ＣＰＵ６２、ＡＦ制御回路６４、ストロボ制御回路６６、ストロボ発光部２０、カメラ電源制御スイッチ７０、時計機能付きＣＰＵ７２、脱着検出スイッチ２２、各種の操作部材７４、表示切替回路７６、及び表示装置２６等からなる。
【００２４】
光学ユニット５２は撮影レンズ１８（図１に図示）を含み、光学ユニット５２を介して固体撮像素子５４の受光面に入射した被写体光は固体撮像素子５４において光電変換され、画像信号として順次読み出される。撮像回路５６はＣＤＳクランプ、ゲインコントロールアンプ等のアナログ処理部と、Ａ／Ｄ変換器、並びに、輝度信号生成回路、色差信号生成回路、ガンマ補正回路等の公知のデジタル画像処理回路を含む。固体撮像素子５４から読み出された信号は、画像処理制御ＣＰＵ５２の制御に従って撮像回路５６において所定の処理が施され、デジタル形式の電子画像データに変換される。
【００２５】
操作部材７４に含まれるレリーズスイッチ２４（図１に図示）の押圧操作に呼応して取得された画像データはメモリ５８に格納され、データ圧縮等の所定の処理を経た後に外部記録装置６０に記録される。
なお、この電子カメラ１０は、公知の自動露出調整（ＡＥ）機能及び自動焦点調節（ＡＦ）装置を具備しており、撮影レンズ１８を被写体に向けるだけで、最適な露出調整が行われるとともに、ＡＦ制御回路６４の制御によってピント合わせが自動的に行われる。また、ストロボの動作モードが低輝度自動発光モードに設定されている場合には、低輝度時に被写体を適正露光で撮影できるようにストロボ制御回路６６によってストロボ発光部２０を自動発光させるようになっている。
【００２６】
表示装置２６には、例えば液晶ディスプレイが用いられる。表示装置２６は表示切替回路７６に従って時計の時刻表示を示す数字を表示／非表示切替可能に表示する手段を備え、時刻表示装置として使用されるとともに、撮影に係る画像を表示する為の画像表示装置として兼用される。
カメラ電源制御スイッチ７０は、ＣＰＵ７２から出力される制御信号によってＯＮ／ＯＦＦ切替可能に構成されている。時計モードに設定されている場合、当該スイッチ７０はＯＦＦ状態にある。そして、カメラモードに設定されることにより該スイッチ７０がＯＮし、カメラブロックに電源が供給される。図４中の点線はカメラブロックの各回路に電源が供給されることを概念的に示したものである。
【００２７】
ＣＰＵ７２は計時機能が内蔵され、時計動作部としての役割を有している。また、ＣＰＵ７２は脱着検出スイッチ２２から受入する信号に基づいて、時計モード及びカメラモードのモード切り替えを行うとともに、操作部材７４から受入する信号に基づいて撮像部及び表示装置２６の制御を行う。すなわち、脱着検出スイッチ２２によってカメラ本体１２の固定状態が検出されると、ＣＰＵ７２はカメラ電源制御スイッチ７０をＯＦＦ制御するとともに、表示切替回路７６を時刻表示モードに設定する。そして、通常の腕時計と同様に表示装置２６において現在の時刻を表示させる制御を行う。
【００２８】
他方、脱着検出スイッチ２２がカメラ本体１２の離脱状態を検知すると、ＣＰＵ７２はカメラ電源制御スイッチ７０をＯＮ制御してカメラブロックに電源を投入するとともに、表示切替回路７６を制御して撮影画像表示モードに設定する。撮影画像表示モードのときは時刻表示が非表示となり、固体撮像素子５４を介して取得した画像データが表示切替回路７６を経由して表示装置２６に供給され、表示装置２６の画面上に撮影に係る映像が表示される。
【００２９】
レリーズスイッチ２４によって撮影開始指示を与える前からカメラが捉えている映像（ムービースルー画）を表示装置２６に表示する場合、撮影者はこのムービー画を確認しながら画角を決定することができるという利点がある。
かかるカメラモードにおいてレリーズスイッチ２４が押されることにより、レリーズ信号（撮影開始信号）がＣＰＵ７２に加えられ、これに呼応して所定の撮影動作が実行される。例えば、低輝度自動発光モードにおいて低輝度の場合はストロボ発光部２０が発光制御されるとともに、レリーズ信号に呼応して固体撮像素子５４から読み出された画像信号が撮像回路５６を介してメモリ５８に取り込まれ、データ圧縮等を経て外部記録装置６０に記録される。なお、記録媒体は超小型のメモリカードでもよいし、カメラ内蔵のフラッシュメモリでもよい。
【００３０】
外部記録装置６０に保存した画像データは画像処理制御ＣＰＵ６２を介して読み出しが可能であり、読み出された画像データは圧縮／伸張回路で伸張処理された後、図示せぬ通信部（外部出力部）を介して他の外部機器に出力することができる。
次に、上記構成の腕装着型の電子カメラの動作について図５に示すフローチャートを参照しながら説明する。
【００３１】
カメラ本体１２に電池等の電源が投入されると、ＣＰＵ７２は脱着検出スイッチ２２の検出結果に基づいて、カメラ本体１２がバンド部１４に固定されているか否かを判断する（ステップＳ１１０）。その結果、バンド部１４から分離されていることを判別すると、カメラ電源制御スイッチ７０をＯＮ制御し、カメラ側（撮像系）に電源を投入する（ステップＳ１１２）。
【００３２】
そして、固体撮像素子５４及び撮像回路５６等を制御し、表示装置２６の画面上にムービ画像を表示させる（ステップＳ１１４）。次いで、レリーズスイッチ２４が押されたか否かを判断する（ステップＳ１１６）。レリーズスイッチ２４が押されなければ、処理はステップＳ１１６に戻り、撮影開始の指示の入力待ちの状態になる。ユーザによりレリーズスイッチ２４が押されると、撮影処理を行い、撮影した画像のデータを外部記録装置６０に記録する（ステップＳ１１８）。
【００３３】
また、ステップＳ１１０において、脱着検出スイッチ２２の検出結果からカメラ本体１２がバンド部１４に固定されていると判断した場合、次いで、画像再生モードに設定されているか否かを判断する（ステップＳ１２０）。
操作部材７４に含まれる画像再生スイッチがＯＮされている場合は、カメラ側の電源を投入し（ステップＳ１２２）、外部記録装置６０に格納されている画像データをユーザの選択操作に従って再生して表示装置２６に表示させる（ステップＳ１２４）。
【００３４】
また、画像再生スイッチがＯＦＦの時は通常の時計モードとして動作する。すなわち、使用しないカメラ側の電源をＯＦＦし（ステップＳ１２６）、表示切替回路７６を時計表示モードに設定してして現在の時刻を表示する（ステップＳ１２８）。
このように、腕装着型カメラをバンド部１４から取り外しできるようにしたことにより、通常のカメラと同じ使用感で使用することができ、画角合わせにおいて不自然な体勢を強いられることはない。また、カメラを使用しない時には、撮影レンズ１８をバンド面に向けてカメラ本体１２をバンド部１４に固定するようにしたので、カメラの光学部品を保護しながら携帯することができ、腕時計としても利用することができる。
【００３５】
上記構成の電子カメラによれば、画像表示装置と時計表示装置とを共通化し、同一の部品を使用することにより、表示場所を同一にし、カメラモードと時計モードを切り替えて表示装置２６の表示を使い分けるようにしたので、ユーザにとってわかり易いインターフェースを実現することができるとともに、部品点数を削減することができる。
【００３６】
特に、カメラ本体１２がバンド部１４から分離されたことを自動的に識別する手段（脱着検出スイッチ２２）を設け、カメラ本体１２の着脱に連動して自動的にカメラ電源をＯＮ／ＯＦＦ制御するとともに、表示装置２６における時刻表示と画像表示とを切り替えるようにしたので、ユーザによるモード設定操作が不要となり、使用感を向上させることができる。また、電源の消し忘れを回避できるという利点もある。
【００３７】
上述の実施の形態では、静止画像を記録する電子カメラを例に説明したが、動画を記録する電子カメラについても、本発明を同様に適用することができる。動画を記録する電子カメラの場合はレリーズスイッチに代えて、ＶＴＲスイッチのような録画スタート／ストップボタンを設けるなど、具体的な構成において適宜変更を要するが、本発明の適応においては静止画記録のカメラと同様である。
【００３８】
また、カメラ本体をバンド部から分離可能に構成するという本発明の技術的思想は電子カメラに限らず、銀塩カメラなど感光材料を用いるカメラにも適用することができる。
【００３９】
【発明の効果】
以上説明したように本発明に係る腕装着型カメラによれば、カメラ本体をバンド部から着脱可能にしたので、従来のカメラと同じ使用感で使用でき、画角合わせに際して不自然な体勢を強いられることはない。
特に、バンド部からカメラ本体が分離されたことを検出する手段を設け、本体の離脱を自動的に識別して、カメラの電源をＯＮ／ＯＦＦ制御し、又は、表示手段における表示内容を切り替えるようにしたので、ユーザの操作負担が軽減され、使用感を向上させることができるとともに、電源の消し忘れを防止して消費電力の低減を達成できる。
【００４０】
また、本発明に係る腕装着型カメラによれば、カメラ本体をバンド部に固定する際、撮影レンズをバンド面側に向けて固定する構造にしたので、バンド部がレンズカバーの役割を果たし、ゴミやホコリから撮影レンズ等の光学部品を保護することができる。
更に、本発明に係るカメラによれば、画像表示装置と時計表示装置とを同一の部材によって兼用し、モードに応じて表示を切り替えるようにしたので、ユーザにとって分かりやすいインターフェースを実現できるとともに、部品点数の削減が可能であり、低コスト化を達成できる。
【図面の簡単な説明】
【図１】本発明の実施の形態に係る電子カメラの外観図
【図２】カメラ本体をバンド部に固定するための固定装置の一例を示す概略断面図
【図３】固定装置の他の構造例を示す概略断面図
【図４】電子カメラの構成を示すブロック図
【図５】本例の電子カメラの制御手順を示すフローチャート
【符号の説明】
１０…電子カメラ
１２…カメラ本体
１４…バンド部
１６…固定装置（固定手段）
１８…撮影レンズ
２２…脱着検出スイッチ（検出手段）
２６…表示装置（表示手段）
５４…固体撮像素子（撮像手段）
６０…外部記記録置（画像記録手段）
【図１】
0003951280.tif 000002
【図２】
0003951280.tif 000003
【図３】
0003951280.tif 000004
【図４】
0003951280.tif 000005
【図５】
0003951280.tif 000006